【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コーディングユニットのクロマサンプリングフォーマットに基づいて、前記コーディングユニットのリーフノードに対して、非正方形長方形クロマブロックが第１の正方形サブブロックと第２の正方形サブブロックとを備えると決定することと、ここにおいて、前記コーディングユニットの前記リーフノードが、子ノードを有しない４分木のノードに対応する、
前記第１の正方形サブブロックに関連付けられたイントラ予測クロマデータの第１のブロックを取得することと、
前記第１の正方形サブブロックに関連付けられた変換係数を逆量子化することと、
第１の残差データを生成するために前記逆量子化された変換係数を逆変換することと、
前記第１の正方形サブブロックを復元するために、前記第１の残差データをイントラ予測されたクロマデータの前記第１のブロックに加算することと、
前記復元された第１の正方形サブブロックからの参照サンプルを使用して前記第２の正方形サブブロックをイントラ予測することと、ここにおいて、前記第２の正方形サブブロックをイントラ予測することが、前記復元された第１の正方形サブブロックからの参照サンプルを使用して、イントラ予測されたクロマデータの第２のブロックを生成することを備える、
イントラ予測されたクロマデータの前記第２のブロックと前記第２の正方形サブブロックに対する第２の残差データとを使用して、前記第２の正方形サブブロックを復元することと
を備える、方法。
【請求項２】
前記復元された第１の正方形サブブロックに加えられるものである、隣接ブロックのイントラ予測サンプルを使用して、イントラ予測されたクロマデータの前記第２のブロックを生成することをさらに備える、請求項１に記載の方法。
【請求項３】
前記第１の正方形サブブロックが前記非正方形長方形クロマブロックの上部ブロックであり、前記第２の正方形サブブロックが前記非正方形長方形クロマブロックの下部ブロックである、請求項２に記載の方法。
【請求項４】
ビデオデータを符号化する方法であって、
コーディングユニットのクロマサンプリングフォーマットに基づいて、前記コーディングユニットのリーフノードが第１の正方形サブブロックと第２の正方形サブブロックとを備える非正方形長方形クロマブロックを備えると決定することと、ここにおいて、前記コーディングユニットの前記リーフノードが、子ノードを有しない４分木のノードに対応する、
前記第１の正方形サブブロックに関連付けられた変換係数を量子化することと、
第１の残差データを生成するために前記逆量子化された変換係数を逆変換することと、
前記第１の残差データに基づいて、前記第１の正方形サブブロックに対する参照サンプルを復元することと、
前記復元された第１の正方形サブブロックに対する前記参照サンプルを使用して前記第２の正方形サブブロックをイントラ予測することと、ここにおいて、前記第２の正方形サブブロックをイントラ予測することが、
前記第１の正方形サブブロック内のイントラ予測サンプルに基づいて、イントラ予測されたクロマデータの第２のブロックを生成することを備える、
前記第２の正方形サブブロックに対する第２の残差データを符号化することと
を備える、方法。
【請求項５】
前記復元された第１の正方形サブブロックの前記参照サンプルに加えて他の参照サンプルを使用して、イントラ予測されたクロマデータの前記第２のブロックを符号化することをさらに備える、請求項４に記載の方法。
【請求項６】
前記第１の正方形サブブロックが前記非正方形長方形クロマブロックの上部ブロックであり、前記第２の正方形サブブロックが前記非正方形長方形クロマブロックの下部ブロックである、請求項５に記載の方法。
【請求項７】
ビデオデータを復号するための装置であって、
ビデオデータを記憶するように構成されたメモリと、
前記ビデオデータのコーディングユニットのクロマサンプリングフォーマットに基づいて、前記コーディングユニットのリーフノードに対して、非正方形長方形クロマブロックが第１の正方形サブブロックと第２の正方形サブブロックとを備えると決定することと、ここにおいて、前記コーディングユニットの前記リーフノードが、子ノードを有しない４分木のノードに対応する、
前記第１の正方形サブブロックに関連付けられたイントラ予測クロマデータの第１のブロックを取得することと、
前記第１の正方形サブブロックに関連付けられた変換係数を逆量子化することと、
第１の残差データを生成するために前記逆量子化された変換係数を逆変換することと、
前記第１の正方形サブブロックを復元するために、前記第１の残差データをイントラ予測されたクロマデータの前記第１のブロックに加算することと、
前記復元された第１の正方形サブブロックからの参照サンプルを使用して前記第２の正方形サブブロックをイントラ予測することと、ここにおいて、前記第２の正方形サブブロックをイントラ予測するために、１つまたは複数のプロセッサが、前記復元された第１の正方形サブブロックからの参照サンプルを使用して、イントラ予測されたクロマデータの第２のブロックを生成するように構成される、
イントラ予測されたクロマデータの前記第２のブロックと前記第２の正方形サブブロックに対する第２の残差データとを使用して、前記第２の正方形サブブロックを復元することと
を行うように構成された前記１つまたは複数のプロセッサと
を備える、装置。
【請求項８】
前記１つまたは複数のプロセッサが、前記復元された第１の正方形サブブロックの前記参照サンプルに加えて他の参照サンプルを使用して、イントラ予測されたクロマデータの前記第２のブロックを符号化するようにさらに構成される、請求項７に記載の装置。
【請求項９】
前記第１の正方形サブブロックが前記非正方形長方形クロマブロックの上部ブロックであり、前記第２の正方形サブブロックが前記非正方形長方形クロマブロックの下部ブロックである、請求項８に記載の装置。
【請求項１０】
ビデオデータを復号するための装置であって、
コーディングユニットのクロマサンプリングフォーマットに基づいて、前記コーディングユニットのリーフノードに対して、非正方形長方形クロマブロックが第１の正方形サブブロックと第２の正方形サブブロックとを備えると決定するための手段と、ここにおいて、前記コーディングユニットの前記リーフノードが、子ノードを有しない４分木のノードに対応する、
前記第１の正方形サブブロックに関連付けられたイントラ予測クロマデータの第１のブロックを取得するための手段と、
前記第１の正方形サブブロックに関連付けられた変換係数を逆量子化するための手段と、
第１の残差データを生成するために前記逆量子化された変換係数を逆変換するための手段と、
前記第１の正方形サブブロックを復元するために、前記第１の残差データをイントラ予測されたクロマデータの前記第１のブロックに加算するための手段と、
前記復元された第１の正方形サブブロックからの参照サンプルを使用して前記第２の正方形サブブロックをイントラ予測するための手段と、ここにおいて、前記第２の正方形サブブロックを前記イントラ予測するための手段が、前記復元された第１の正方形サブブロックからの参照サンプルを使用して、イントラ予測されたクロマデータの第２のブロックを生成するための手段を備える、
イントラ予測されたクロマデータの前記第２のブロックと前記第２の正方形サブブロックに対する第２の残差データとを使用して、前記第２の正方形サブブロックを復元するための手段と
を備える、装置。
【請求項１１】
前記復元された第１の正方形サブブロックからの前記参照サンプルに加えて他の参照サンプルを使用して、イントラ予測されたクロマデータの前記第２のブロックを生成するための手段をさらに備える、請求項１０に記載の装置。
【請求項１２】
前記第１の正方形サブブロックが前記非正方形長方形クロマブロックの上部ブロックであり、前記第２の正方形サブブロックが前記非正方形長方形クロマブロックの下部ブロックである、請求項１１に記載の装置。
【請求項１３】
１つまたは複数のプロセッサによる実行時に、前記１つまたは複数のプロセッサに、
コーディングユニットのクロマサンプリングフォーマットに基づいて、前記コーディングユニットのリーフノードに対して、非正方形長方形クロマブロックが第１の正方形サブブロックと第２の正方形サブブロックとを備えると決定することと、ここにおいて、前記コーディングユニットの前記リーフノードが、子ノードを有しない４分木のノードに対応する、
前記第１の正方形サブブロックに関連付けられたイントラ予測クロマデータの第１のブロックを取得することと、
前記第１の正方形サブブロックに関連付けられた変換係数を逆量子化することと、
第１の残差データを生成するために前記逆量子化された変換係数を逆変換することと、
前記第１の正方形サブブロックを復元するために、前記第１の残差データをイントラ予測されたクロマデータの前記第１のブロックに加算することと、
前記復元された第１の正方形サブブロックからの参照サンプルを使用して、前記第２の正方形サブブロックをイントラ予測することと、ここにおいて、前記第２の正方形サブブロックをイントラ予測することが、前記復元された第１の正方形サブブロックからの参照サンプルを使用して、イントラ予測されたクロマデータの第２のブロックを生成することを備える、
イントラ予測されたクロマデータの前記第２のブロックと前記第２の正方形サブブロックに対する第２の残差データとを使用して、前記第２の正方形サブブロックを復元することと
を行わせる命令を記憶する、非一時的コンピュータ可読記憶媒体。